(57)【要約】多入力多出力（ＭＩＭＯ）ワイヤレス通信システムについての線形プリコーディングにおいて利用されるべきチャネル（例えば、順方向リンクチャネル、逆方向リンクチャネル、...）の評価からの送信共分散を推定することを容易にするシステムおよび方法が説明されている。任意の数のプリコーディング行列を含むあらかじめ定義されたコードブックは、改善されたプリコーディング性能を与えるために送信共分散推定に基づいて修正されることができる。さらに、チャネルに関連したフィードバックは、修正されたコードブックを利用することにより生成され、解析されることができる。
2009514383.tif 000002
【特許請求の範囲】
【請求項１】
共分散に基づいて調整される線形プリコーディングについてのフィードバックを生成することを容易にする方法であって、
順方向リンクチャネルの観察から共分散を決定することと、
前記共分散に基づいてあらかじめ定義されたコードブックを修正することと、
前記修正されたコードブックを利用することにより前記順方向リンクチャネルに関連したフィードバックを生成することと、
を備える方法。
【請求項２】
チャネル推定値を与えるために前記順方向リンクチャネルを推定することと、
前記修正されたコードブックからプリコーディング行列を選択することにより前記チャネル推定値を量子化することと、
前記選択されたプリコーディング行列に関連するインデックスを識別することと、
逆方向リンクチャネル上で前記インデックスを送信することと、
をさらに備える請求項１に記載の方法。
【請求項３】
チャネル行列を与えるために前記順方向リンクチャネルを推定することと、
前記チャネル行列に対して固有分解を遂行することにより、前記チャネル行列に対応するチャネルユニタリ行列を決定することと、
前記チャネルユニタリ行列を量子化することと、
をさらに備える請求項２に記載の方法。
【請求項４】
前記あらかじめ定義されたコードブックを修正することは、
【数１】
2009514383.tif 000058
を評価することにより、変更されたコードブックＣ１を生成すること、をさらに備えている、但し式中で、
【数２】
2009514383.tif 000059
は、送信共分散行列であり、
【数３】
2009514383.tif 000060
は、前記行列
【数４】
2009514383.tif 000061
の平方根であり、
【数５】
2009514383.tif 000062
は、前記あらかじめ定義されたコードブックからのｊ番目の元の行列であり、
【数６】
2009514383.tif 000063
は、あらかじめ定義されたコードブックからのｊ番目の元の行列の共役転置であり、
Ｎは、前記変更されたコードブックに含まれる行列の数である、
請求項１に記載の方法。
【請求項５】
前記あらかじめ定義されたコードブックを修正することは、修正されたコードブック
【数７】
2009514383.tif 000064
を構築すること、をさらに備えている、但し式中で、
【数８】
2009514383.tif 000065
は、送信共分散行列であり、
【数９】
2009514383.tif 000066
は、前記行列
【数１０】
2009514383.tif 000067
の平方根であり、
【数１１】
2009514383.tif 000068
は、前記あらかじめ定義されたコードブックからのｊ番目の元の行列であり、
Ｎは、前記修正されたコードブックに含まれる行列の数である、
請求項１に記載の方法。
【請求項６】
前記共分散は、送信共分散行列と相関のうちの少なくとも一方である、請求項１に記載の方法。
【請求項７】
前記順方向リンクチャネルは、多入力多出力（ＭＩＭＯ）システムに関連づけられる、請求項１に記載の方法。
【請求項８】
前記順方向リンクチャネルの観察から決定される前記共分散は、逆方向リンクチャネルからの共分散の推定と実質的に類似している、請求項１に記載の方法。
【請求項９】
前記あらかじめ定義されたコードブックは、Ｎ個のユニタリ行列を含んでいる、なお、Ｎは整数であってよい、請求項１に記載の方法。
【請求項１０】
共分散行列の１つまたは複数の主要な固有ベクトルによりスパンされる部分空間を量子化すること、をさらに備える請求項１に記載の方法。
【請求項１１】
プリセットコードブックと、順方向リンクチャネルに関連する共分散を推定することと、前記共分散に基づいて前記プリセットコードブックの中の行列を変更することと、前記変更された行列を活用することによりフィードバックを生成することとに関連した命令と、を保持するメモリと、
前記メモリに結合され、前記メモリに保持される前記命令を実行するように構成されるプロセッサと、
を備えるワイヤレス通信装置。
【請求項１２】
前記メモリはさらに、前記順方向リンクチャネルを推定することと、前記変更された行列から特定の行列を選択することと、前記特定の行列に関連するインデックスを決定することと、のための命令を保持する、請求項１１に記載のワイヤレス通信装置。
【請求項１３】
前記プリセットコードブックの中の前記行列を変更するための前記命令は、異なる通信装置によって保持される実質的に類似したプリセットコードブックを修正するための命令と実質的に類似している、請求項１１に記載のワイヤレス通信装置。
【請求項１４】
前記メモリはさらに、共分散行列の主要な固有ベクトルによってスパンされる部分空間を量子化するための命令を保持する、請求項１１に記載のワイヤレス通信装置。
【請求項１５】
送信共分散を利用することにより線形プリコーディングについてのフィードバックを生成するワイヤレス通信装置であって、
順方向リンクチャネルから送信共分散を推定するための手段と、
前記送信共分散に基づいてあらかじめ定義されたコードブックを変更するための手段と、
前記順方向リンクチャネルの推定値と前記変更されたコードブックとに基づいてフィードバックを生成するための手段と、
を備えるワイヤレス通信装置。
【請求項１６】
前記順方向リンクチャネルに関連するチャネル行列を推定するための手段、をさらに備える請求項１５に記載のワイヤレス通信装置。
【請求項１７】
前記順方向リンクチャネルからの前記送信共分散は、逆方向リンクチャネルからの送信共分散の推定値と実質的に類似している、請求項１５に記載のワイヤレス通信装置。
【請求項１８】
順方向リンクチャネルからの統計的情報を推定することと、
前記順方向リンクチャネルに関連した行列を推定することと、
前記統計的情報に基づいて複数の行列を含むあらかじめ定義されたコードブックを修正することと、
前記推定された行列の関数として前記複数の行列のうちの特定の１つを識別することと、
逆方向リンクチャネル上で前記複数の行列のうちの前記特定の１つに関連したデータを送信することと、
のための機械実行可能命令を記憶している機械読取り可能媒体。
【請求項１９】
前記機械実行可能命令は、前記順方向リンクチャネルに関連した前記推定された行列からチャネルに関連したユニタリ行列を決定すること、をさらに備える請求項１８に記載の機械読取り可能媒体。
【請求項２０】
ワイヤレス通信システムにおいて、
順方向リンクチャネルに関する共分散を決定し、
前記共分散に基づいてあらかじめ定義されたコードブックに含まれるプリコーディング行列を調整し、
前記調整されたプリコーディング行列に基づいてプリコーディングフィードバックを与える
ように構成されるプロセッサ、
を備える装置。
【請求項２１】
送信共分散の尺度を利用する線形プリコーディングに基づいて順方向リンク伝送を制御することを容易にする方法であって、
逆方向リンクチャネルの解析から共分散を決定することと、
前記共分散に基づいて、あらかじめ定義されたコードブックを変更することと、
前記変更されたコードブックに基づいて、受信されるフィードバックを解析することと、
前記解析されたフィードバックを適用することにより、順方向リンクチャネル上の伝送を制御することと、
を備える方法。
【請求項２２】
前記解析されたフィードバックに基づいてビーム形成を遂行すること、をさらに備える請求項２１に記載の方法。
【請求項２３】
前記逆方向リンクチャネルおよび前記順方向リンクチャネルは、多入力多出力環境に関連づけられる、請求項２１に記載の方法。
【請求項２４】
前記逆方向リンクチャネルおよび前記順方向リンクチャネルは、周波数分割二重化を利用する、請求項２１に記載の方法。
【請求項２５】
前記逆方向リンクチャネルおよび前記順方向リンクチャネルは、時分割二重化を利用する、請求項２１に記載の方法。
【請求項２６】
前記逆方向リンクチャネルの解析から決定される前記共分散は、前記受信されたフィードバックに関連した順方向リンクチャネルからの共分散の推定と実質的に類似している、請求項２１に記載の方法。
【請求項２７】
前記あらかじめ定義されたコードブックを変更することは、前記受信されたフィードバックのソースと比較して実質的に類似した方法で前記あらかじめ定義されたコードブックを変更すること、をさらに備える、請求項２１に記載の方法。
【請求項２８】
スカラ量子化を遂行した異なる通信装置から取得された受信されたフィードバックを解析すること、をさらに備える請求項２１に記載の方法。
【請求項２９】
コードブックと、送信共分散を決定することと、プリセットコードブックを修正することと、前記修正されたコードブックに基づいてフィードバックを評価することとのための命令と、を保持するメモリと、
前記メモリに結合され、前記メモリに保持される前記命令を実行するように構成されるプロセッサと、
を備えるワイヤレス通信装置。
【請求項３０】
前記メモリは、順方向リンクチャネル伝送に関連するビーム形成を実行するための命令、を含み、前記ビーム形成は、前記評価されたフィードバックに基づいている、請求項２９に記載のワイヤレス通信装置。
【請求項３１】
送信共分散推定を有する線形プリコーディングを使用することにより順方向リンク伝送を制御するワイヤレス通信装置であって、
逆方向リンクチャネルの解析に基づいて、送信共分散を識別するための手段と、
前記共分散の関数としてあらかじめ定義されたコードブックを調整するための手段と、
前記調整されたコードブックを利用することにより、フィードバックを評価するための手段と、
前記評価されたフィードバックに基づいて、順方向リンク伝送を制御するための手段と、
を備えるワイヤレス通信装置。
【請求項３２】
前記フィードバックが取得される異なるワイヤレス通信装置と比較して実質的に類似した方法で前記あらかじめ定義されたコードブックを調整するための手段、をさらに備える、請求項３１に記載のワイヤレス通信装置。
【請求項３３】
逆方向リンクチャネルの評価から送信共分散行列を推定することと、
前記送信共分散行列に基づいてあらかじめ定義されたコードブックの中の元のプリコーディング行列を修正することと、
前記修正されたプリコーディング行列を使用することにより受信されたフィードバックの評価に基づいて順方向リンクチャネル上の通信を制御することと、
のための機械実行可能命令、を記憶している機械読取り可能媒体。
【請求項３４】
前記機械実行可能命令は、前記受信されたフィードバックに関連する特定の修正されたプリコーディング行列を識別すること、をさらに備える請求項３３に記載の機械読取り可能媒体。
【請求項３５】
ワイヤレス通信システムにおいて、
逆方向リンクチャネルに関連する相関を評価し、
前記相関に基づいてコードブックを変更し、
順方向リンクチャネルに関連したフィードバックを受信し、
前記変更されたコードブックに基づいて前記フィードバックを評価し、
前記フィードバックの前記評価に基づいて前記順方向リンクチャネル上の後続の伝送を制御する
ように構成されるプロセッサ、
を備える装置。
【発明の詳細な説明】
【関連出願に対する相互参照】
【０００１】
本願は、２００５年１０月２７日に出願された、「空間相関チャネルについての線形プリコーディングのための方法および装置(A METHOD AND APPARATUS FOR LINEAR PRECODING FOR SPATIALLY CORRELATED CHANNELS)」という名称の米国仮特許出願第６０／７３１，０２９号の利益を主張する。上記出願の全体は、参照によりここに組み込まれる。
【背景】
【０００２】
［Ｉ．技術分野］
以下の説明は、一般に、ワイヤレス通信に関連し、より詳細には、ワイヤレス通信システムにおける共分散(covariance)の考察に基づいた線形プリコーディング(linear precoding)に関する。
【０００３】
［ＩＩ．背景］
ワイヤレス通信システムは、例えば音声やデータなど、様々なタイプの通信コンテンツを供給するために広く展開される。典型的なワイヤレス通信システムは、使用可能なシステムリソース（例えば、帯域幅、送信パワー、...）を共用することにより、複数のユーザとの通信をサポートすることができる多元接続システムとすることができる。そのような多元接続システムの例は、符号分割多元接続(code division multiple access)（ＣＤＭＡ）システム、時分割多元接続(time division multiple access)（ＴＤＭＡ）システム、周波数分割多元接続(frequency division multiple access)（ＦＤＭＡ）システム、直交周波数分割多元接続(orthogonal frequency division multiple access)（ＯＦＤＭＡ）システムなどを含むことができる。
【０００４】
一般に、ワイヤレス多元接続通信システムは、複数のモバイルデバイスについての通信を同時にサポートすることができる。各モバイルデバイスは、順方向リンクと逆方向リンクの上の伝送を経由して１つまたは複数の基地局と通信することができる。順方向リンク（またはダウンリンク）は、基地局からモバイルデバイスへの通信リンクを意味し、逆方向リンク（またはアップリンク）は、モバイルデバイスから基地局への通信リンクを意味する。さらに、モバイルデバイスと基地局との間の通信は、単一入力単一出力(single-input single-output)（ＳＩＳＯ）システム、多入力単一出力(multiple-input single-output)（ＭＩＳＯ）システム、多入力多出力(multiple-input multiple-output)（ＭＩＭＯ）システムなどを経由して確立されることができる。
【０００５】
ＭＩＭＯシステムは、一般にデータ通信のための複数の（ＮＴ個の）送信アンテナと複数の（ＮＲ個の）受信アンテナを使用する。ＮＴ個の送信アンテナとＮＲ個の受信アンテナとによって形成されるＭＩＭＯチャネルは、ＮＳ個の独立チャネルに分解されることができ、これらの独立チャネルは、空間チャネルと称されることができ、ここでＮＳ≦｛ＮＴ，ＮＲ｝である。ＮＳ個の独立チャネルのおのおのは、ある次元に対応する。さらに、ＭＩＭＯシステムは、複数の送信アンテナと受信アンテナとによって生成される追加の次元の数(dimensionality)が利用される場合には、改善された性能（例えば、増大させられたスペクトル効率、より高いスループット、および／またはより高い信頼性）を提供することができる。
【０００６】
ＭＩＭＯシステムは、共通の物理媒体上で順方向リンク通信と逆方向リンク通信とを分割する様々な二重化技法(duplexing technique)をサポートすることができる。例えば、周波数分割二重(frequency division duplex)（ＦＤＤ）システムは、順方向リンク通信と逆方向リンク通信についての異なる(disparate)周波数領域を利用することができる。さらに、時分割二重(time division duplex)（ＴＤＤ）システムにおいては、順方向リンク通信と逆方向リンク通信は、共通の周波数領域を使用することができる。しかしながら、従来の技法は、チャネル情報に関連した限られたフィードバックを提供できるにすぎず、あるいはフィードバックを提供することができない。
【発明の開示】
【０００７】
［概要］
以下は、そのような実施形態の基本的な理解を提供するために、１つまたは複数の実施形態の簡略化された概要(summary)を提示している。この概要は、必ずしもすべての考えられる実施形態についての広範な概説ではなく、また、すべての実施形態の主要な要素または不可欠な要素を識別するようにも、また、任意の実施形態またはすべての実施形態の範囲を示すようにも意図されてはいない。その唯一の目的は、後で提示されるより詳細な説明に対する前置きとして、１つまたは複数の実施形態のいくつかの概念を簡略化された形式で提示することである。
【０００８】
１つまたは複数の実施形態と、その対応する開示とに従って、様々な態様が、多入力多出力（ＭＩＭＯ）ワイヤレス通信システムについての線形プリコーディングにおいて利用されるべきチャネル（例えば、順方向リンクチャネル、逆方向リンクチャネル、...）の評価(evaluation)からの送信共分散(transmit covariance)の推定を容易にすることに関連して、説明される。任意の数のプリコーディング行列(precoding matrices)を含むあらかじめ定義されたコードブック(predefined codebooks)は、改善されたプリコーディング性能を与えるために送信共分散推定に基づいて修正されることができる。さらに、チャネルに関連したフィードバック(feedback)は、その修正されたコードブックを利用することにより、生成され、解析されることができる。
【０００９】
関連した態様によれば、共分散に基づいて調整される線形プリコーディングについてのフィードバックを生成することを容易にする方法が、ここにおいて説明される。本方法は、順方向リンクチャネルの観察から共分散を決定することを備えることができる。さらに、本方法は、共分散に基づいてあらかじめ定義されたコードブックを修正することを含むことができる。さらに、本方法は、修正されたコードブックを利用することにより順方向リンクチャネルに関連したフィードバックを生成することを備えることもできる。
【００１０】
別の態様は、ワイヤレス通信装置に関する。本ワイヤレス通信装置は、プリセットコードブックと、順方向リンクチャネルに関連する共分散を推定することと、その共分散に基づいてプリセットコードブックにおける行列を変更することと、その変更された行列を活用することによりフィードバックを生成することとに関連した命令と、を保持するメモリを含むことができる。さらに、本通信装置は、メモリに結合され、メモリに保持される命令を実行するように構成されるプロセッサを備えることができる。
【００１１】
さらに別の態様は、送信共分散を利用することにより線形プリコーディングについてのフィードバックを生成するワイヤレス通信装置に関する。本ワイヤレス通信装置は、順方向リンクチャネルから送信共分散を推定するための手段と、その送信共分散に基づいてあらかじめ定義されたコードブックを変更するための手段と、順方向リンクチャネルの推定値と変更されたコードブックとに基づいてフィードバックを生成するための手段と、を含むことができる。
【００１２】
さらに別の態様は、順方向リンクチャネルからの統計情報を推定することと、順方向リンクチャネルに関連した行列を推定することと、その統計情報に基づいて複数の行列を含むあらかじめ定義されたコードブックを修正することと、のための機械実行可能命令、を記憶している機械読取り可能媒体に関する。本機械読取り可能媒体はさらに、複数の行列のうちの特定の１つを推定された行列の関数として識別することと、逆方向リンクチャネル上で複数の行列のうちの特定の１つに関連したデータを送信することと、のための機械実行可能命令、を記憶していることもできる。
【００１３】
別の態様に従って、ワイヤレス通信システムにおける装置は、プロセッサを含むことができ、ここでそのプロセッサは、順方向リンクチャネルに関係がある共分散を決定するように構成される(configured)ことができる。さらにプロセッサは、共分散に基づいてあらかじめ定義されたコードブックに含まれるプリコーディング行列を調整するように構成されることもできる。さらに、プロセッサは、調整されたプリコーディング行列に基づいてプリコーディングフィードバックを与えるように構成されることもできる。
【００１４】
さらなる態様によれば、送信共分散の測定値を利用する線形プリコーディングに基づいて順方向リンク伝送を制御することを容易にする方法が、ここにおいて説明される。本方法は、逆方向リンクチャネルの解析から共分散を決定すること、を備えることができる。さらに、本方法は、共分散に基づいてあらかじめ定義されたコードブックを変更すること、を含むこともできる。さらに、本方法は、変更されたコードブックに基づいて受信フィードバックを解析すること、を含むこともできる。さらに、本方法は、その解析されたフィードバックを適用することにより順方向リンクチャネル上の伝送を制御すること、を備えることもできる。
【００１５】
別の態様は、ワイヤレス通信装置に関する。本ワイヤレス通信装置は、コードブックと、送信共分散を決定し、プリセットコードブックを修正し、その修正されたコードブックに基づいてフィードバックを評価するための命令とを保持するメモリを含むことができる。さらに、本ワイヤレス通信装置は、そのメモリに結合され、メモリに保持される命令を実行するように構成されるプロセッサを含むこともできる。
【００１６】
さらに別の態様は、送信共分散推定を有する線形プリコーディングを使用することにより順方向リンク伝送を制御するワイヤレス通信装置に関する。本ワイヤレス通信装置は、逆方向リンクチャネルの解析に基づいて送信共分散を識別するための手段と、あらかじめ定義されたコードブックを共分散の関数として調整するための手段と、調整されたコードブックを利用することによりフィードバックを評価するための手段と、評価されたフィードバックに基づいて順方向リンク伝送を制御するための手段と、を含むことができる。
【００１７】
さらに別の態様は、逆方向リンクチャネルの評価から送信共分散行列(transmit covariance matrix)を推定することと、送信共分散行列に基づいてあらかじめ定義されたコードブックにおける元のプリコーディング行列を修正することと、修正されたプリコーディング行列を使用することにより受信フィードバックの評価に基づいて順方向リンクチャネル上の通信を制御することと、のための機械実行可能命令、を記憶している機械読取り可能媒体に関する。
【００１８】
別の態様に従って、ワイヤレス通信システムにおける装置は、プロセッサを含むことができ、ここではプロセッサは、逆方向リンクチャネルに関連する相関(correlation)を評価し、その相関に基づいてコードブックを変更し、順方向リンクチャネルに関連したフィードバックを受信し、変更されたコードブックに基づいて、そのフィードバックを評価するように、構成される。
【００１９】
前述の目的、および関連した目的の達成のために、１つまたは複数の実施形態は、このあと十分に説明され、特に特許請求の範囲において指摘される特徴、を備える。以下の説明および添付の図面は、１つまたは複数の実施形態のある種の例示の態様を、詳細に述べている。しかしながら、これらの態様は、様々な実施形態の原理が使用されることができる様々な方法のうちの少しだけを示すにすぎず、説明される実施形態は、すべてのそのような態様およびそれらの均等物(equivalents)を含むように意図されている。
【００２０】
［詳細な説明］
様々な実施形態が、次に、図面を参照して説明され、図面中において同様な参照番号は、全体にわたって同様な要素を指すように使用される。以下の説明においては、説明の目的のために、多くの具体的な詳細が、１つまたは複数の実施形態の完全な理解を提供するように述べられる。しかしながら、そのような実施形態（単数または複数）は、これらの具体的な詳細なしに実施されることができることは、明らかであり得る。他の例では、よく知られている構造およびデバイスは、１つまたは複数の実施形態を説明することを容易にするために、ブロック図形式で示される。
【００２１】
本願において使用されるように、「コンポーネント」、「モジュール」、「システム」などの用語は、コンピュータに関連したエンティティ(computer-related entity)、ハードウェアか、ファームウェア、ハードウェアとソフトウェアの組合せ、ソフトウェア、または実行中のソフトウェア、を指すように意図される。例えば、コンポーネントは、それだけには限定されないが、プロセッサ上で実行されるプロセス、プロセッサ、オブジェクト、実行ファイル(executable)、実行スレッド(thread of execution)、プログラム、および／またはコンピュータであってもよい。例として、コンピューティングデバイス上で実行されるアプリケーションもコンピューティングデバイスも、コンポーネントであり得る。１つまたは複数のコンポーネントは、プロセスおよび／または実行スレッドの内部に存在することができ、コンポーネントは、１台のコンピュータ上に局所化され、かつ／または２台以上のコンピュータの間で分散されることができる。さらに、これらのコンポーネントは、様々なデータ構造が記憶されている様々なコンピュータ読取り可能媒体から実行することもできる。コンポーネントは、１つまたは複数のデータパケット（例えば、ローカルシステム、分散システムにおける別のコンポーネントと、かつ／またはインターネットなどのネットワーク全体にわたって信号を経由して他のシステムと、相互作用する１つのコンポーネントからのデータ）を有する信号に従うなど、ローカルおよび／またはリモートのプロセスを経由して通信することができる。
【００２２】
さらに、様々な実施形態が、モバイルデバイスに関連してここにおいて説明される。モバイルデバイスは、システム、加入者ユニット、加入者局、移動局、モバイル、リモート局、リモート端末、アクセス端末、ユーザ端末、端末、ワイヤレス通信デバイス、ユーザエージェント、ユーザデバイス、またはユーザ装置(user equipment)（ＵＥ）と呼ばれることもできる。モバイルデバイスは、セルラ電話、コードレス電話、セッション開始プロトコル(Session Initiation Protocol)（ＳＩＰ）電話、ワイヤレスローカルループ(wireless local loop)（ＷＬＬ）局、携帯型個人情報端末(personal digital assistant)（ＰＤＡ）、ワイヤレス接続機能を有するハンドヘルドデバイス、コンピューティングデバイス、またはワイヤレスモデムに接続された他の処理デバイスとすることができる。さらに、様々な実施形態が、基地局に関連してここにおいて説明される。基地局は、モバイルデバイス（単数または複数）と通信するために利用されることができ、アクセスポイント、ノードＢ(Node B)、または他の何らかの専門用語で称されることもできる。
【００２３】
さらに、ここにおいて説明される様々な態様または特徴は、標準のプログラミング技法および／またはエンジニアリング技法を使用した製造の方法、装置、または物品としてインプリメントされることができる。ここにおいて使用されるような用語「製造の物品(article of manufacture)」は、任意のコンピュータ読取り可能なデバイス、キャリア、または媒体からアクセス可能なコンピュータプログラムを包含するように意図される。例えば、コンピュータ読取り可能媒体は、それだけには限定されないが、磁気ストレージデバイス（例えば、ハードディスク、フロッピー（登録商標）ディスク、磁気ストリップなど）、光ディスク（例えば、コンパクトディスク(compact disk)（ＣＤ）、デジタル多用途ディスク(digital versatile disk)（ＤＶＤ）など）、スマートカード、およびフラッシュメモリデバイス（例えば、ＥＰＲＯＭ、カード、スティック、キードライブなど）を含むことができる。さらに、ここにおいて説明される様々なストレージ媒体は、情報を記憶するための１つまたは複数のデバイスおよび／または他の機械読取り可能媒体を表すことができる。用語「機械読取り可能媒体」は、それだけに限定されることなしに、命令（単数または複数）および／またはデータを記憶し、含み、かつ／または搬送することができるワイヤレスチャネルおよび様々な他の媒体を含むことができる。
【００２４】
次に図１を参照すると、ワイヤレス通信システム１００が、ここにおいて提示される様々な実施形態に従って示される。システム１００は、複数の(multiple)アンテナグループを含むことができる基地局１０２を備える。例えば、１つのアンテナグループは、アンテナ１０４および１０６を含むことができ、別のグループは、アンテナ１０８および１１０を備えることができ、追加のグループは、アンテナ１１２および１１４を含むことができる。２つのアンテナが、各アンテナグループについて示されるが、より多くのアンテナ、またはより少ないアンテナが、各グループについて利用されることもできる。基地局１０２は、さらにトランスミッタチェーン(transmitter chain)とレシーバチェーン(receiver chain)を含むことができ、これらのおのおのは、当業者によって認識されるように、次には信号の送信および受信に関連する複数のコンポーネント（例えば、プロセッサ、変調器、マルチプレクサ、復調器、デマルチプレクサ(demultiplexer)、アンテナなど）を備えることができる。
【００２５】
基地局１０２は、モバイルデバイス１１６やモバイルデバイス１２２など、１つまたは複数のモバイルデバイスと通信することができるが、基地局１０２は、モバイルデバイス１１６および１２２と類似した実質的に任意の数のモバイルデバイスと通信することができることが認識されるべきである。モバイルデバイス１１６および１２２は、例えばセルラ電話、スマートフォン(smart phone)、ラップトップ、ハンドヘルド通信デバイス、ハンドヘルドコンピューティングデバイス、衛星無線(satellite radio)、全地球測位システム(global positioning system)、ＰＤＡ、および／またはワイヤレス通信システム１００上で通信するための他の適切な任意のデバイスとすることができる。図に示されるように、モバイルデバイス１１６は、アンテナ１１２および１１４と通信しており、ここでアンテナ１１２および１１４は、順方向リンク１１８上でモバイルデバイス１１６に対して情報を送信し、逆方向リンク１２０上でモバイルデバイス１１６から情報を受信する。さらに、モバイルデバイス１２２は、アンテナ１０４および１０６と通信しており、ここでアンテナ１０４および１０６は、順方向リンク１２４上でモバイルデバイス１２２に対して情報を送信し、逆方向リンク１２６上でモバイルデバイス１２２から情報を受信する。周波数分割二重(frequency division duplex)（ＦＤＤ）システムにおいては、順方向リンク１１８は、逆方向リンク１２０によって使用される周波数帯域とは異なる周波数帯域を利用することができ、順方向リンク１２４は、例えば逆方向リンク１２６によって使用される周波数帯域とは異なる周波数帯域を使用することができる。さらに、時分割二重(time division duplex)（ＴＤＤ）システムにおいては、順方向リンク１１８と逆方向リンク１２０は、共通の周波数帯域を利用することができ、順方向リンク１２４と逆方向リンク１２６は、共通の周波数帯域を利用することができる。
【００２６】
通信するために指定されるアンテナおよび／または区域の各グループは、基地局１０２のセクタと称されることができる。例えば、アンテナグループは、基地局１０２によってカバーされるセクタの区域の中のモバイルデバイスに対して通信するように設計されることができる。順方向リンク１１８および１２４上の通信においては、基地局１０２の送信アンテナは、モバイルデバイス１１６および１２２についての順方向リンク１１８および１２４の信号対雑音比(signal-to-noise ratio)を改善するためにビーム形成を利用することができる。また、基地局１０２は、関連するカバレージを介してランダムに散乱される、モバイルデバイス１１６および１２２に対して送信するビーム形成を利用するが、隣接するセルの中のモバイルデバイスは、すべてのそのモバイルデバイスに対する単一のアンテナを介して送信する基地局と比べて、より少ない干渉しか受けない可能性もある。
【００２７】
一例によれば、システム１００は、多入力多出力（ＭＩＭＯ）通信システムとすることができる。さらに、システム１００は、ＦＤＤやＴＤＤなどの通信チャネル（例えば、順方向リンク、逆方向リンク、...）を分割するために任意のタイプの二重化技法を利用することができる。さらに、システム１００は、共分散フィードバックを活用する線形プリコーディングを使用することができ、例えば、送信共分散行列（および／または送信相関行列(transmit correlation matrix)）は、線形プリコーディングに関連して推定され、使用されることができる。一例証に従って、基地局１０２は、順方向リンク１１８および１２４上でモバイルデバイス１１６および１２２に対して送信することができる。モバイルデバイス１１６および１２２は、それぞれの順方向リンク１１８および１２４に関連する送信共分散（例えば、相関）を評価することができる。モバイルデバイス１１６および１２２は、おのおのあらかじめ決定されたコードブック（例えば、Ｎ個の行列を含み、ここでＮは、任意の整数であってよい）に関連づけられることができ、このコードブックのおのおのは、それぞれの順方向リンク１１８および１２４に関連する推定された共分散に基づいて修正されることができる。さらに、モバイルデバイス１１６および１２２は、順方向リンクチャネルを推定することができる。修正されたコードブックは、推定されたチャネルに関連した基地局１０２に提供されるべきフィードバックを決定するために使用されることができる。例えば、モバイルデバイス１１６および１２２は、フィードバックを生成するためにベクトルおよび／またはスカラの量子化を利用することができる。一例証によれば、修正されたコードブックからのアップデートされた行列に関連するインデックスは、モバイルデバイス１１６および１２２のうちの一方から基地局１０２へと送信されることができるが、特許請求の範囲の主題は、そのようには限定されない。フィードバックは、逆方向リンクチャネル上を基地局１０２に対して送信されることができる。
【００２８】
基地局１０２は、モバイルデバイス１１６および１２２からチャネルに関連したフィードバックを取得することができる。さらに、基地局１０２は、逆方向リンク１２０および１２６のおのおのからの共分散（例えば、送信共分散、相関、...）を解析することができ、そしてその後に共分散は、基地局１０２によって保持されるあらかじめ定義されたコードブックを（例えば、モバイルデバイス１１６および１２２によって変更されるのと実質的に類似した方法で）変更するために利用されることができる。一例によれば、基地局１０２およびモバイルデバイス１１６は、実質的に類似したあらかじめ定義されたコードブックを利用することができ、コードブックは、モバイルデバイス１１６から基地局１０２に提供されるフィードバックの一般的な理解を提供することを可能にする実質的に類似した方法で（例えば、基地局１０２とモバイルデバイス１１６の両方によって推定されることができる共分散に基づいて）修正されることができる。同様に、基地局１０２およびモバイルデバイス１２２は、実質的に類似した方法で実質的に類似したコードブックを使用し、修正することができる。変更されたコードブックは、取得されたチャネルに関連したフィードバックを評価するために使用されることができる。さらに、基地局１０２は、解析されたフィードバックに基づいて（例えば、ビーム形成利得を取得するためにビーム形成を実行することにより）順方向リンクチャネル上の後続の伝送を制御することができる。
【００２９】
図２を参照すると、ワイヤレス通信環境内における使用のための通信装置２００が、示されている。通信装置２００は、基地局またはその一部分、あるいはモバイルデバイスまたはその一部分とすることができる。通信装置２００は、送信アンテナに関連する共分散を推定する共分散評価器(covariance evaluator)２０２を含むことができる。一例証によれば、通信装置２００は、順方向リンクおよび逆方向リンクが、（例えば、順方向リンクチャネルと逆方向リンクチャネルについて異なる周波数帯域を利用することに少なくとも部分的に基づいた）相反性を欠いているＦＤＤ  ＭＩＭＯシステムの中で利用されることができるが、順方向リンクと逆方向リンクは、複数の送信アンテナか、互いに関係づけられることができるので、統計的相反性(statistical reciprocity)を有することができる。同様に、複数の送信アンテナは、ＴＤＤ  ＭＩＭＯシステムの中で互いに関係づけられることができる。順方向リンクと逆方向リンクは、統計的相反性を有することができるので、たとえチャネルが異なる可能性があるとしても、共分散（および／または相関）は、順方向リンクチャネルから（例えば、モバイルデバイスにおいて）も、逆方向リンクチャネルから（例えば、基地局において）も推定されることができる。したがって、類似した共分散行列
【数１２】
2009514383.tif 000003
【００３０】
（および／または相関行列）が、基地局とモバイルデバイスの両方において使用可能となり、かつ／または推定される（例えば、生成される）ことができる。例えば、送信アンテナ相関は、アンテナに関連する幾何学的配置および／またはロケーション（例えば、限られた空間）、および／またはデータが受信されることができる比較的狭い角度に起因する可能性がある。
【００３１】
通信装置２００は、コードブック２０４（例えば、あらかじめ定義されたコードブック）とコードブック修正器(codebook modifier)２０６とをさらに含むことができる。コードブック２０４は、１組のＮ個の元の行列(N original matrices)（ここでＮは、任意の整数であってよい）（例えば、１組のＮ個の元のユニタリ行列(unitary matrix)）を含むことができる。例えば、コードブック２０４は、同一独立分散(identically independently distributed)（ｉｉｄ）チャネルのために設計されることができる。さらに、コードブック２０４は、
【数１３】
2009514383.tif 000004
【００３２】
とすることができ、ここで
【数１４】
2009514383.tif 000005
【００３３】
は、ＭＴ×Ｌのユニタリ行列、ＭＴは、送信アンテナの数とすることができ、Ｌは、空間多重化ストリームのランクおよび／または数とすることができる。一例によれば、コードブック２０４は、６４個の元の行列を含むことができるが、特許請求の範囲の主題は、この例だけには限定されず、そうではなくて任意の数の元の行列の利用を考えている。さらなる例に従って、実質的に類似した行列を有する実質的に類似したコードブックは、通信装置２００が対話する異なる通信装置を用いて利用されることができる。コードブック２０４は、通信装置２００に関連するメモリ（図示されず）に保持され、通信装置２００によって生成され、異なるソースから通信装置２００によって取得されることなどができる。
【００３４】
さらに、コードブック修正器２０６は、共分散評価器２０２によって与えられる共分散推定値に基づいてあらかじめ定義されたコードブック２０４に含まれる行列を変更することができる。送信共分散行列
【数１５】
2009514383.tif 000006
【００３５】
が、トランスミッタにおいてもレシーバにおいても知られていることを仮定すると、コードブック修正器２０６は、線形プリコーディングを共分散フィードバックと組み合わせることを可能にするためにコードブック２０４を修正することができる。それ故に、コードブック修正器２０６は、コードブック２０４の中の元のプリコーディング行列を共分散構造の関数として修正することができる。特に、アップデートされた行列を有する新しいコードブックは、コードブック修正器２０６によって与えられることができる。さらに、修正されたコードブックの中の行列は、チャネルを識別するために利用されることができる。コードブック修正器２０６によって与えられる修正されたコードブックは、共分散の考察を利用できない従来の技法と比べて、フィードバックを与えるための改善された性能を提供することができる。
【００３６】
一例によれば、コードブック修正器２０６は、新しいコードブックＣ１：
【数１６】
2009514383.tif 000007
【００３７】
を与えるために、次のように（例えば、共分散評価器２０２が、トランスミッタアンテナにおいて強い相関を観察するとすぐに）コードブック２０４を修正することができる。この例証に従って、
【数１７】
2009514383.tif 000008
【００３８】
は、行列
【数１８】
2009514383.tif 000009
【００３９】
の平方根（例えば、
【数１９】
2009514383.tif 000010
【００４０】
）とすることができる。さらに、
【数２０】
2009514383.tif 000011
【００４１】
は、コードブック２０４からのｊ番目の元の行列（例えば、ユニタリ行列）とすることができ、
【数２１】
2009514383.tif 000012
【００４２】
は、コードブック２０４からのｊ番目の元の行列の共役転置(conjugate transpose)とすることができる。さらに、Ｎは、コードブックに含まれる行列の数とすることができ、例えば、Ｎは、任意の整数であってよい。
【００４３】
別の例に従って、コードブック修正器２０６は、コードブック２０４を次のように変更することができる。
【数２２】
2009514383.tif 000013
【００４４】
別の例によれば、ベクトルまたはスカラの量子化は、
【数２３】
2009514383.tif 000014
【００４５】
（例えば、共分散評価器２０２によって決定される）の主要な固有ベクトル(eigen-vectors)によってスパンされる(spanned)部分空間を量子化するために利用されることができる。例えば、基底(basis)は、ランダム化されることができ、かつ／またはより少ない数のビットが、より弱い固有モード(eigen-mode)（基底）のために使用されることができる。追加して、または代わりに、ベクトル量子化では、主要な部分空間は、量子化されることができる。別の例証に従って、スカラ量子化では、チャネルの主要な固有ビーム(eigenbeam)は、
【数２４】
2009514383.tif 000015
【００４６】
の主要な固有ベクトルによってスパンされる部分空間の基底上に投射される(projected)ことができる。
【００４７】
一例によれば、通信装置２００は、チャネル行列
【数２５】
2009514383.tif 000016
【００４８】
を与えるために順方向リンクチャネルを評価するモバイルデバイスとすることができる。さらに、固有分解(eigen decomposition)は、
【数２６】
2009514383.tif 000017
【００４９】
を解析することにより、チャネル行列に対して遂行される(effectuated)ことができ、ここで
【数２７】
2009514383.tif 000018
【００５０】
は、チャネル行列
【数２８】
2009514383.tif 000019
【００５１】
に対応するチャネルユニタリ行列とすることができ、
【数２９】
2009514383.tif 000020
【００５２】
は、
【数３０】
2009514383.tif 000021
【００５３】
の共役転置とすることができ、
【数３１】
2009514383.tif 000022
【００５４】
は、
【数３２】
2009514383.tif 000023
【００５５】
の共役転置とすることができ、
【数３３】
2009514383.tif 000024
【００５６】
は、対角行列とすることができる。一例に従って、モバイルデバイスは、
【数３４】
2009514383.tif 000025
【００５７】
に関連する情報をフィードバックすることができ、この情報は、（例えばスカラおよび／またはベクトルの量子化を利用して）量子化されることができる。
【００５８】
スカラの量子化を使用する一例に従って、固有分解は、さらに
【数３５】
2009514383.tif 000026
【００５９】
を与えるために、送信共分散行列
【数３６】
2009514383.tif 000027
【００６０】
に対して遂行されることができ、ここで
【数３７】
2009514383.tif 000028
【００６１】
は、共分散ユニタリ行列とすることができる。モバイルデバイスにおいては、
【数３８】
2009514383.tif 000029
【００６２】
および
【数３９】
2009514383.tif 000030
【００６３】
となる。Ｕ１は、
【数４０】
2009514383.tif 000031
【００６４】
行列に投射されることができ、その投射は、逆方向リンクチャネルを経由してフィードバックされることができる。例えば、Ｕ１＝Ｕ１ＨＵＲ１ＵＲ１＋Ｕ１ＨＵＲ２ＵＲ２は、モバイルデバイスによって評価されることができ、ＵＲ１とＵＲ２が、フィードバックが転送される基地局で評価されることができるので、Ｕ１ＨＵＲ１とＵ１ＨＵＲ２は、フィードバックとして提供されることができる。別の例によれば、
【数４１】
2009514383.tif 000032
【００６５】
は、４×４の行列（例えば、４つの送信アンテナが存在する）とすることができ、それ故に、
【数４２】
2009514383.tif 000033
【００６６】
は、Λ１、Λ２、Λ３およびΛ４を含むことができる。例えば、対応する送信アンテナの間に強い相関がある場合、Λ３とΛ４は、小さくすることができる。強い相関がある場合の一例に従って、一部の固有値は、主要な固有値よりもかなり小さくすることができ、−それ故に、量子化は、主要な固有ベクトル上に投射するために（例えば、フィードバックをセーブし、改善された性能を提供するために）基底のサブセット（例えば、４つの基底のうちの２つ）を利用することができる。さらに、例えば、Λ１およびΛ２は、主要なものとすることができ、それ故にＵＲ１およびＵＲ２は、投射の基底として利用されることができるが、Λ１とΛ２が、互いに実質的に類似している場合、そのときにはＵＲ１およびＵＲ２は、基底として使用されない可能性がある。そうではなくて、新しい基底が、
【数４３】
2009514383.tif 000034
【００６７】
に基づいて決定されることができ、ここでΩｊは、基地局とモバイルデバイスの両方で知られているランダム化されたユニタリ行列とすることができ、ここでｊは、１からＮ（これは、任意の整数であってよい）とすることができる。
【００６８】
さらに、示されてはいないが、通信装置２００は、チャネルの観察から共分散（例えば、送信共分散、相関、...）を決定することと、その共分散に基づいてあらかじめ定義されたコードブックの中の行列を変更することと、その変更された行列を使用することによりフィードバックを生成することと、変更された行列を利用することにより受信されたフィードバックを解析することと、そのフィードバックに基づいてチャネル上で伝送を制御することなどに関して命令を保持するメモリを含むことができる。さらに、通信装置２００は、命令（例えば、メモリ内に保持される命令、異なるソースから取得される命令、...）を実行することに関連して利用されることができるプロセッサを含むこともできる。
【００６９】
次に図３を参照すると、共分散フィードバックの考察に基づいて線形プリコーディングを遂行するワイヤレス通信システム３００が、示されている。システム３００は、モバイルデバイス３０４（および／または任意の数の異なるモバイルデバイス（図示されず））と通信する基地局３０２を含んでいる。基地局３０２は、順方向リンクチャネル上でモバイルデバイス３０４に対して情報を送信することができる。さらに基地局３０２は、逆方向リンクチャネル上でモバイルデバイス３０４から情報を受信することができる。さらに、システム３００は、ＭＩＭＯシステムとすることができる。
【００７０】
モバイルデバイス３０４は、共分散評価器３０６と、コードブック３０８と、コードブック修正器３１０を含むことができる。コードブック３０８は、任意の数の行列（例えば、ユニタリ行列）を含むあらかじめ定義されたコードブックとすることができる。モバイルデバイス３０４は、順方向リンクチャネル上で転送される情報を取得することができる。共分散評価器３０６は、順方向リンクチャネルに関連する共分散を決定し、かつ／または送信共分散行列
【数４４】
2009514383.tif 000035
【００７１】
を生成することができる。さらに、コードブック修正器３１０は、決定された共分散に基づいてコードブック３０８を変更することができる。
【００７２】
基地局３０２は、共分散評価器３１２と、コードブック３１４と、コードブック修正器３１６を含むことができ、これらは、それぞれ共分散評価器３０６と、コードブック３０８と、コードブック修正器３１０と実質的に類似したものとすることができる。それ故に、基地局３０２とモバイルデバイス３０４は、実質的に類似したあらかじめ定義されたコードブック３０８と３１４を使用することができる。さらに、共分散評価器３０６および３１２は、基地局３０２とモバイルデバイス３０４の両方が、それぞれ逆方向リンクチャネルおよび順方向リンクチャネル（例えば、これらは、ＭＩＭＯシステム内の統計的相反性に起因して実質的に類似している可能性がある）に関連する共分散を推定することを可能にする。さらに、コードブック修正器３１０および３１６は、類似した共分散推定値に基づいて共通の方法でコードブック３０８および３１４内の行列を調整することを容易にする。
【００７３】
モバイルデバイス３０４は、チャネル推定器３１８とフィードバックジェネレータ３２０をさらに含むことができる。チャネル推定器３１８は、基地局３０２からモバイルデバイス３０４へと順方向リンクチャネルを推定することができる。チャネル推定器３１８は、順方向リンクチャネルに対応する行列
【数４５】
2009514383.tif 000036
【００７４】
を生成することができ、ここで
【数４６】
2009514383.tif 000037
【００７５】
の列は、基地局３０２の送信アンテナに関係することができ、
【数４７】
2009514383.tif 000038
【００７６】
の行は、モバイルデバイス３０４における受信アンテナに関係することができる。一例によれば、基地局３０２は、４つの送信アンテナを利用することができ、モバイルデバイス３０４は、２つの受信アンテナを使用することができ、それ故に、チャネル推定器３１８は、２×４のチャネル行列
【数４８】
2009514383.tif 000039
【００７７】
（例えば、ここで
【数４９】
2009514383.tif 000040
【００７８】
）を与えるために順方向リンクチャネルを評価することができるが、特許請求の範囲の主題は、任意のサイズ（例えば、任意の数の行および／または列）のチャネル行列
【数５０】
2009514383.tif 000041
【００７９】
（例えば、任意の数の受信アンテナおよび／または送信アンテナに対応する）を利用することを考えていることが、認識されるべきである。
【００８０】
フィードバックジェネレータ３２０は、逆方向リンクチャネル上で基地局３０２に対して転送されることができるフィードバックを与えるためにチャネル推定値（例えば、チャネル行列
【数５１】
2009514383.tif 000042
【００８１】
）を使用することができる。一例によれば、フィードバックジェネレータ３２０（および／またはチャネル推定器３１８）は、対応するチャネルユニタリ行列
【数５２】
2009514383.tif 000043
【００８２】
を与えるためにチャネル行列
【数５３】
2009514383.tif 000044
【００８３】
の固有分解を遂行することができる。例えば、チャネルユニタリ行列
【数５４】
2009514383.tif 000045
【００８４】
は、推定されたチャネル行列
【数５５】
2009514383.tif 000046
【００８５】
から決定されるチャネルの方向に関連した情報を含むことができる。チャネル行列
【数５６】
2009514383.tif 000047
【００８６】
の固有分解は、
【数５７】
2009514383.tif 000048
【００８７】
に基づいて遂行されることができ、ここで
【数５８】
2009514383.tif 000049
【００８８】
は、チャネル行列
【数５９】
2009514383.tif 000050
【００８９】
に対応するチャネルユニタリ行列とすることができ、
【数６０】
2009514383.tif 000051
【００９０】
は、
【数６１】
2009514383.tif 000052
【００９１】
の共役転置とすることができ、
【数６２】
2009514383.tif 000053
【００９２】
は、
【数６３】
2009514383.tif 000054
【００９３】
の共役転置とすることができ、
【数６４】
2009514383.tif 000055
【００９４】
は、対角行列とすることができる。
【００９５】
さらに、フィードバックジェネレータ３２０は、コードブック修正器３１０によって生成される修正されたコードブックからの変更された行列（例えば、ユニタリ行列）の組とチャネルユニタリ行列
【数６５】
2009514383.tif 000056
【００９６】
を（例えば、チャネルユニタリ行列
【数６６】
2009514383.tif 000057
【００９７】
を量子化するために）比較する（または量子化する）ことができる。さらに、選択が、変更されたユニタリ行列の組から行われることができる。その組からの選択されるユニタリ行列に関連するインデックスは、フィードバックジェネレータ３２０によって識別されることができる。さらに、フィードバックジェネレータ３２０は、逆方向リンクチャネルを経由して基地局３０２に対してそのインデックスを供給することができる。
【００９８】
基地局３０２は、フィードバック評価器３２２とプリコーダ(precoder)３２４をさらに含むことができる。フィードバック評価器３２２は、モバイルデバイス３０４から受信されるフィードバック（例えば、量子化情報に関連する取得されたインデックス）を解析することができる。例えば、フィードバック評価器３２２は、受信されたインデックスに基づいて、選択されたユニタリ行列を識別するためにコードブック修正器３１６によって生成されるユニタリ行列の修正されたコードブックを利用することができる。それ故に、フィードバック評価器３２２によって識別されるユニタリ行列は、フィードバックジェネレータ３２０によって選択されるユニタリ行列と実質的に類似している可能性がある。
【００９９】
さらに、プリコーダ３２４は、変更されたコードブックからのフィードバック評価器３２２によって識別される行列に基づいて順方向リンクチャネル上で後続の伝送を変更するために、基地局３０２によって利用されることができる。例えば、プリコーダ３２４は、フィードバックに基づいて順方向リンク通信のためのビーム形成を実行することができる。さらなる例によれば、プリコーダ３２４は、基地局３０２の送信アンテナに関連する送信ベクトルにより、識別された行列を乗算することができる。
【０１００】
図４〜６を参照すると、ＭＩＭＯシステムにおける共分散フィードバックと線形プリコーディングを組み合わせることに関連した方法が示されている。説明の簡単化の目的のために、本方法は、一連の動作(act)として示され説明されるが、一部の動作は、１つまたは複数の実施形態に従って、ここにおいて示され説明される順序とは異なる順序で、かつ／または他の動作と同時に行われることができるように、本方法は、動作の順序によって限定されないことが理解され、認識されるべきである。例えば、当業者は、方法が、代わりに状態図などにおける一連の相互に関連した状態またはイベントとして表されることができることを理解し認識するであろう。さらに、必ずしもすべての例示の動作が、１つまたは複数の実施形態に従って、方法をインプリメントするために必要とされるとは限らないこともある。
【０１０１】
図４を参照すると、共分散に基づいて調整されることができる線形プリコーディングについてのフィードバックを生成することを容易にする方法４００が示されている。４０２において、共分散は、チャネル（例えば、順方向リンクチャネル）の観察から決定されることができる。一例証に従って、共分散（例えば、送信共分散、相関、...）は、逆方向リンクチャネルからはもちろん順方向リンクチャネルからも（例えば、ＭＩＭＯ環境において）決定されることができる。したがって、順方向リンクチャネルから推定される共分散は、逆方向リンクチャネルから推定される共分散と実質的に類似している可能性がある。４０４において、あらかじめ定義されたコードブックは、共分散に基づいて修正されることができる。修正されたコードブックを形成する調整されたプリコーディング行列が与えられることができることが考えられる。例えば、共分散は、異なる通信装置（例えば、基地局）を用いて合意される方法であらかじめ定義されたコードブックを修正するために利用されることができる。４０６において、チャネルに関連したフィードバックは、修正されたコードブックを利用することにより生成されることができる。一例に従って、順方向リンクチャネルは、推定されることができ、チャネル行列が、生成されることができる。修正されたコードブックからの特定の変更された行列は、チャネル行列に基づいて（かつ／または固有分解を遂行することにより得られるチャネルに関連したユニタリ行列の関数として）選択されることができる。さらに、選択された行列に関連するインデックスは、逆方向リンクチャネル上のフィードバックとして識別され、送信されることができるが、特許請求の範囲の主題は、そのような例だけにはそのように限定されないことが認識されるべきである。
【０１０２】
次に図５を参照すると、線形プリコーディングに関連してフィードバックを提供するためのチャネルに関連するデータを量子化することを容易にする方法５００が示されている。５０２において、共分散が、順方向リンクチャネルから（例えば、ＭＩＭＯシステムにおいて）決定されることができる。５０４において、あらかじめ定義されたコードブックが、共分散に基づいて修正されることができる。５０６において、順方向リンクチャネルは、推定されることができる。一例によれば、任意のタイプの二重化が、順方向リンクチャネルと逆方向リンクチャネルに関連して利用されることができ、それ故に、それらのチャネルは、相反している必要はない（例えば、順方向リンクチャネルは、逆方向リンクチャネルの解析から推定されることができる必要はない）。しかしながら、共分散は、順方向リンクチャネルと逆方向リンクチャネルを評価することを経由して取得されることができる。５０８において、推定される順方向リンクチャネルは、修正されたコードブックに基づいて量子化されることができる。例えば、スカラ量子化および／またはベクトル量子化が、使用されることができる。５１０において、量子化されたデータは、逆方向リンクチャネル上で伝送されることができる。
【０１０３】
図６を参照すると、送信共分散の尺度を利用した線形プリコーディングに基づいて順方向リンク伝送を制御することを容易にする方法６００が示されている。６０２において、共分散が逆方向リンクチャネルの解析から決定されることができる。共分散の推定値は、フィードバックが取得されることができる異なる通信装置（例えば、モバイルデバイス）によって与えられる推定値と実質的に類似していることができる。６０４において、あらかじめ定義されたコードブックが、共分散に基づいて変更されることができる。６０６において、受信されたフィードバックは、変更されたコードブックに基づいて解析されることができる。例えばインデックスが、取得されることができ、そのインデックスに対応する変更されたコードブックからの行列が、識別されることができる。６０８において、解析されたフィードバック（例えば、識別された行列）は、順方向リンクチャネル上の伝送を制御するために適用されることができる。一例によれば、ビーム形成は、解析されたフィードバック（例えば、識別された行列）を利用することにより遂行されることができる。
【０１０４】
ここにおいて説明される１つまたは複数の態様に従って、共分散を解析すること、あらかじめ定義されたコードブックを修正すること、チャネルに関連したフィードバックを提供すること、チャネルに関連したフィードバックを利用することなどに関して、推論が行われることができることが認識されるであろう。ここにおいて使用されるように、用語「推測する(infer)」または「推論する(inference)」ことは、一般にイベントおよび／またはデータを経由して取り込まれるような１組の観察からシステム、環境、および／またはユーザの状態について推論するプロセス、またはそれらの状態を推測するプロセスを意味する。推論は、特定のコンテキスト(context)またはアクション(action)を識別するために使用されることができ、あるいは例えば状態の上での確率分布を生成することができる。推論は、確率論的とすることができ、−すなわちデータおよびイベントの考察に基づいた関心のある状態の上での確率分布の計算とすることができる。推論はまた、１組のイベントおよび／またはデータから、より高レベルのイベントを構成するために使用される技法を意味することもできる。そのような推論は、それらのイベントが、時間的に近接して相関づけられようとなかろうと、またそれらのイベントおよびデータが、１つまたは複数のイベントおよびデータのソースに由来していようと、１組の観察されたイベントおよび／または記憶されたイベントデータから新しいイベントまたはアクションの構築をもたらす。
【０１０５】
一例によれば、以上で提示される１つまたは複数の方法は、推定される送信共分散を適用すべき方法を選択すること（例えば、送信共分散の取得された推定値に基づいてあらかじめ決定されたコードブックの中の行列に対して遂行される修正を選択すること）に関する推論を行うことを含むことができる。さらなる例として、線形プリコーディングに関連して共分散推定値を利用すべきかどうかを選択することに関連して、推論が行われることができる。前述の例は、本質的に例示的なものであり、行われることができる推論の数、またはそのような推論がここにおいて説明される様々な実施形態および／または方法と組み合わせて行われる方法を限定するようには意図されないことが認識されるであろう。
【０１０６】
図７は、ＭＩＭＯシステムにおいて、線形プリコーディングを用いて送信共分散を推定すること、および／または送信共分散を利用することを容易にするモバイルデバイス７００の説明図である。モバイルデバイス７００は、例えば受信アンテナ（図示されず）から信号を受信し、受信信号の上で典型的なアクションを実行し（例えば、フィルタをかけ、増幅し、ダウンコンバートなどを行い）、サンプルを取得するために条件づけられた信号をデジタル化するレシーバ７０２を備える。レシーバ７０２は、例えばＭＭＳＥレシーバとすることができ、チャネル推定のために受信シンボルを復調し、それらをプロセッサ７０６に供給することができる復調器７０４を備えることができる。プロセッサ７０６は、レシーバ７０２によって受信される情報を解析すること、および／またはトランスミッタ７１６による送信のための情報を生成することに専用化されたプロセッサ、モバイルデバイス７００の１つまたは複数のコンポーネントを制御するプロセッサ、および／または共にレシーバ７０２によって受信される情報を解析し、トランスミッタ７１６による送信のための情報を生成し、モバイルデバイス７００の１つまたは複数のコンポーネントを制御するプロセッサとすることができる。
【０１０７】
モバイルデバイス７００は、プロセッサ７０６に動作的に結合され、送信されるべきデータ、受信データ、使用可能なチャネルに関連した情報、解析された信号および／または干渉強度に関連するデータ、割り当てられたチャネル、パワー、またはレートなどに関連した情報、ならびにチャネルを推定し、そのチャネルを経由して通信するための他の適切な任意の情報を記憶することができるメモリ７０８をさらに備えることができる。メモリ７０８は、チャネル（例えば、性能ベース、容量ベースなどの）を推定すること、および／または利用することに関連するプロトコルおよび／またはアルゴリズムをさらに記憶することもできる。
【０１０８】
ここにおいて説明されるデータストア（例えば、メモリ７０８）は、揮発性メモリまたは不揮発性メモリのいずれともすることができ、あるいは揮発性メモリと不揮発性メモリの両方を含むことができることが認識されるであろう。例証として、限定するものではないが、不揮発性メモリは、読取り専用メモリ(read only memory)（ＲＯＭ）、プログラマブルＲＯＭ（programmable ROM）（ＰＲＯＭ）、電気的プログラマブルＲＯＭ(electrically programmable ROM)（ＥＰＲＯＭ）、電気的消去可能ＰＲＯＭ(electrically erasable PROM)（ＥＥＰＲＯＭ）、またはフラッシュメモリを含むことができる。揮発性メモリは、ランダムアクセスメモリ(random access memory)（ＲＡＭ）を含むことができ、これは外部キャッシュメモリとしての役割を果たす。例証として限定するものではないが、ＲＡＭは、シンクロナスＲＡＭ(synchronous RAM)（ＳＲＡＭ）、ダイナミックＲＡＭ(dynamic RAM)（ＤＲＡＭ）、シンクロナスＤＲＡＭ(synchronous DRAM)（ＳＤＲＡＭ）、ダブルデータレートＳＤＲＡＭ(double data rate SDRAM)（ＤＤＲ  ＳＤＲＡＭ）、拡張ＳＤＲＡＭ(enhanced SDRAM)（ＥＳＤＲＡＭ）、シンクリンクＤＲＡＭ(Synchlink DRAM)（ＳＬＤＲＡＭ）、ダイレクトラムバスＲＡＭ(direct Rambus RAM)（ＤＲＲＡＭ）など多数の形態で使用可能である。主題のシステムおよび方法のメモリ７０８は、それだけに限定されることなく、これらおよび他の適切な任意のタイプのメモリを備えるように意図される。
【０１０９】
レシーバ７０２は、さらにモバイルデバイス７００において順方向リンクチャネルからの送信共分散（例えば、相関）を評価する共分散評価器７１０に動作的に結合される。共分散評価器７１０によって取得される送信共分散は、逆方向リンクチャネルを解析することから取得される送信共分散と実質的に類似したものとすることができ、−それ故に、その共分散は、レシーバとトランスミッタの両方（例えば、モバイルデバイス７００と基地局）によって知られていることができる。さらに、コードブック修正器７１２は、モバイルデバイス７００のメモリ７０８に保持されるプリセットコードブックを変更するために送信共分散を利用することができる。例えば、プリセットコードブックは、Ｎ個の行列を含むことができ、ここでＮは、任意の整数であってよい。コードブック修正器７１２は、共分散評価器７１０によって取得される送信共分散の関数としてＮ個の行列を調整することができる。コードブック修正器７１２によって与えられる修正されたコードブックは、その後に逆方向リンクチャネル上で送信されることができるフィードバックを送信するために（例えば、プロセッサ７０６によって）使用されることができる。例えば、順方向リンクチャネルの１つの推定に対応する、修正されたコードブックからの１つまたは複数の行列が、選択されることができ、その選択された１つまたは複数の行列に関連するデータは、（例えば、基地局へと）転送されることができる。モバイルデバイス７００は、さらになお、変調器７１４と、例えば基地局、別のモバイルデバイスなどに対して信号を送信するトランスミッタ７１６とを備える。プロセッサ７０６とは別のものとして示されるが、共分散評価器７１０、コードブック修正器７１２、および／または変調器７１４は、プロセッサ７０６またはいくつかのプロセッサ（図示されず）の一部分とすることができることが、認識されるべきである。
【０１１０】
図８は、ＭＩＭＯ環境において送信共分散の考察に基づいて順方向リンク伝送を制御するためにフィードバックを受信すること、および／または利用することを容易にするシステム８００の説明図である。システム８００は、複数の受信アンテナ８０６を介して１つまたは複数のモバイルデバイス８０４からの信号（単数または複数）を受信するレシーバ８１０と、送信アンテナ８０８を介して１つまたは複数のモバイルデバイス８０４に対して送信するトランスミッタ８２２とを有する基地局８０２（例えば、アクセスポイント、...）を備える。レシーバ８１０は、受信アンテナ８０６からの情報を受信することができ、受信情報を復調する復調器８１２に動作的に関連づけられる。被復調シンボルは、図７に関して上記されるプロセッサに類似したものとすることができるプロセッサ８１４によって解析され、このプロセッサは、信号（例えば、パイロット）強度および／または干渉強度を推定することに関連した情報、モバイルデバイス（単数または複数）８０４（または異なる基地局（図示されず））へと送信されるべき、またはモバイルデバイス（単数または複数）８０４（または異なる基地局（図示されず））から受信されるべきデータ、および／またはここにおいて述べられる様々なアクションおよびファンクションを実行することに関連した他の適切な任意の情報を記憶するメモリ８１６に結合される。プロセッサ８１４は、さらに逆方向リンクチャネル（単数または複数）に関連する送信共分散を解析する共分散評価器８１８に結合される。例えば、共分散評価器８１８は、任意の数の逆方向リンクに関連した送信共分散を評価することができる。さらに、各逆方向リンクに関連する送信共分散は、対応する順方向リンクに関連した（例えば、統計的相反性に起因した）送信共分散と実質的に類似したものとすることができる。
【０１１１】
共分散評価器８１８はさらに、共分散評価器８１８によって取得される共分散に関連したデータに基づいてあらかじめ定義されたコードブックを変更するコードブック修正器８２０に結合されることができる。例えば、あらかじめ定義されたコードブックは、Ｎ個のプリコーディング行列を含むことができ、ここでＮは、任意の整数であってよい。さらに、あらかじめ定義されたコードブックは、基地局８０２のメモリ８１６に保持されることができる。コードブック修正器８２０は、改善された線形プリコーディング性能を提供するために、あらかじめ定義されたコードブックを調整することができる。調整されたコードブックは、受信されたチャネルに関連したフィードバックを解析するために利用されることができる。例えば、プロセッサ８１４は、取得されたフィードバックに対応する調整されたコードブックから特定の行列を識別することができる。さらに、プロセッサ８１４は、識別された行列（例えば、ビーム形成）の関数として順方向リンクチャネル上で送信することを遂行することができる。後続の送信を制御するために利用される情報は、変調器８２２に供給されることができる。変調器８２２は、アンテナ８０８を介したモバイルデバイス（単数または複数）８０４に対するトランスミッタ８２６による送信についての制御情報を多重化することができる。プロセッサ８１４とは別のものとして示されるが、暗黙的フィードバック評価器８１８、明示的フィードバック評価器８２０、および／または変調器８２２は、プロセッサ８１４またはいくつかのプロセッサ（図示されず）の一部分とすることができることが、認識されるべきである。
【０１１２】
図９は、一例のワイヤレス通信システム９００を示している。ワイヤレス通信システム９００は、簡潔さのために１つの基地局９１０と１つのモバイルデバイス９５０とを示している。しかしながら、システム９００は、複数の基地局および／または複数のモバイルデバイスを含むことができ、ここで追加の基地局および／またはモバイルデバイスは、以下で説明される基地局９１０とモバイルデバイス９５０の例と実質的に類似しており、または異なっているとすることができることが認識されるべきである。さらに、基地局９１０および／またはモバイルデバイス９５０は、それらの間のワイヤレス通信を容易にするためにここにおいて説明されるシステム（図１〜３および７〜８）および／または方法（図４〜６）を使用することができることも認識されるべきである。
【０１１３】
基地局９１０において、いくつかのデータストリームについてのトラフィックデータが、データソース９１２から送信（ＴＸ）データプロセッサ９１４へと供給される。一例によれば、各データストリームは、それぞれのアンテナ上で送信されることができる。ＴＸデータプロセッサ９１４は、符号化されたデータを供給するためにデータストリームについて選択された特定のコーディングスキームに基づいてトラフィックデータストリームをフォーマットし、符号化し、インターリーブする。
【０１１４】
各データストリームについての符号化されたデータは、直交周波数分割多重化(orthogonal frequency division multiplexing)（ＯＦＤＭ）技法を使用してパイロットデータと多重化されることができる。追加して、または代わりに、パイロットシンボルは、周波数分割多重化されたもの(frequency division multiplexed)（ＦＤＭ）、時分割多重化されたもの(time division multiplexed)（ＴＤＭ）、あるいは符号分割多重化されたもの(code division multiplexed)（ＣＤＭ）とすることができる。パイロットデータは、一般的に知られている方法で処理される、知られているデータパターンであり、チャネル応答を推定するためにモバイルデバイス９５０において使用されることができる。各データストリームについての多重化されたパイロットデータと符号化データは、変調シンボルを提供するためにデータストリームについて選択される特定の変調スキーム（例えば、２相位相偏移変調(binary phase-shift keying)（ＢＰＳＫ）、４相位相偏移変調(quadrature phase-shift keying)（ＱＰＳＫ）、Ｍ相位相偏移変調(M-phase-shift keying)（Ｍ−ＰＳＫ）、Ｍ−直交振幅変調(M-quadrature amplitude modulation)（Ｍ−ＱＡＭ）など）に基づいて変調される（例えば、シンボルマッピングされる）ことができる。各データストリームについてのデータレート、コーディング、および変調は、プロセッサ９３０によって実行され、または提供される命令によって決定されることができる。
【０１１５】
データストリームについての変調シンボルは、ＴＸ  ＭＩＭＯプロセッサ９２０に対して供給され、このＴＸ  ＭＩＭＯプロセッサは、さらにそれらの変調シンボル（例えば、ＯＦＤＭについての）を処理することができる。次いでＴＸ  ＭＩＭＯプロセッサ９２０は、ＮＴ個の変調シンボルストリームをＮＴ個のトランスミッタ（ＴＭＴＲ）９２２ａから９２２ｔに対して供給する。様々な実施形態において、ＴＸ  ＭＩＭＯプロセッサ９２０は、データストリームのシンボルに対して、そしてシンボルが送信されている元のアンテナに対してビーム形成重みを適用する。
【０１１６】
各トランスミッタ９２２は、１つまたは複数のアナログ信号を供給するためにそれぞれのシンボルストリームを受信し処理し、さらにＭＩＭＯチャネル上での伝送のために適した被変調信号を供給するためにアナログ信号を条件づける（例えば、増幅し、フィルタをかけ、アップコンバートする）。さらに、トランスミッタ９２２ａから９２２ｔからのＮＴ個の被変調信号は、それぞれＮＴ個のアンテナ９２４ａから９２４ｔから送信される。
【０１１７】
モバイルデバイス９５０において、送信された被変調信号は、ＮＲ個のアンテナ９５２ａから９５２ｒによって受信され、各アンテナ９５２からの受信信号は、それぞれのレシーバ（ＲＣＶＲ）９５４ａから９５４ｒへと供給される。各レシーバ９５４は、それぞれの信号を条件づけ（例えば、フィルタをかけ、増幅し、ダウンコンバートし）、サンプルを供給するために条件づけられた信号をデジタル化し、さらに対応する「受信された」シンボルストリームを供給するためにそれらのサンプルを処理する。
【０１１８】
ＲＸデータプロセッサ９６０は、ＮＴ個の「検出された」シンボルストリームを供給するために、特定のレシーバ処理技法に基づいてＮＲ個のレシーバ９５４からのＮＲ個の受信シンボルストリームを受信し処理することができる。ＲＸデータプロセッサ９６０は、データストリームについてのトラフィックデータを回復するために各検出シンボルストリームを復調し、デインターリーブし(deinterleave)、復号化することができる。ＲＸデータプロセッサ９６０による処理は、基地局９１０におけるＴＸ  ＭＩＭＯプロセッサ９２０およびＴＸデータプロセッサ９１４によって実行される処理に対して相補的である。
【０１１９】
プロセッサ９７０は、どのプリコーディング行列を上記のように利用すべきかを定期的に決定することができる。さらに、プロセッサ９７０は、行列のインデックス部分とランク値部分とを備える逆方向リンクメッセージを定式化(formulate)することができる。
【０１２０】
逆方向リンクメッセージは、通信リンクおよび／または受信データストリームに関する様々なタイプの情報を備えることができる。逆方向リンクメッセージは、やはりデータソース９３６からいくつかのデータストリームについてのトラフィックデータを受信するＴＸデータプロセッサ９３８によって処理され、変調器９８０によって変調され、トランスミッタ９５４ａから９５４ｒによって条件づけられ、基地局９１０へと返信されることができる。
【０１２１】
基地局９１０において、モバイルデバイス９５０からの被変調信号は、アンテナ９２４によって受信され、レシーバ９２２によって条件づけられ、復調器９４０によって復調され、モバイルデバイス９５０によって送信される逆方向リンクメッセージを抽出するためにＲＸデータプロセッサ９４２によって処理される。さらに、プロセッサ９３０は、ビーム形成重みを決定するために、どのプリコーディング行列を使用すべきかを決定するために、抽出されたメッセージを処理することもできる。
【０１２２】
プロセッサ９３０および９７０は、それぞれ基地局９１０およびモバイルデバイス９５０においてオペレーションを指示する（例えば、制御し、調整し、管理などを行う）ことができる。それぞれのプロセッサ９３０および９７０は、プログラムコードおよびデータを記憶するメモリ９３２および９７２に関連づけられることができる。プロセッサ９３０および９７０はまた、それぞれアップリンクおよびダウンリンクについての周波数とインパルスの応答推定値を導き出すために計算を実行することもできる。
【０１２３】
ここにおいて説明される実施形態は、ハードウェア、ソフトウェア、ファームウェア、ミドルウェア、マイクロコード、またはそれらの任意の組合せの形でインプリメントされることができることが理解されるべきである。ハードウェアインプリメンテーションでは、処理ユニットは、ここにおいて説明される機能を実行するように設計された１つまたは複数の特定用途向け集積回路(application specific integrated circuit)（ＡＳＩＣ）、デジタル信号プロセッサ(digital signal processor)（ＤＳＰ）、デジタル信号処理デバイス(digital signal processing device)（ＤＳＰＤ）、プログラマブルロジックデバイス(programmable logic device)（ＰＬＤ）、フィールドプログラマブルゲートアレイ(field programmable gate array)（ＦＰＧＡ）、プロセッサ、コントローラ、マイクロコントローラ、マイクロプロセッサ、他の電子ユニット、あるいはそれらの組合せの内部にインプリメントされることができる。
【０１２４】
実施形態が、ソフトウェア、ファームウェア、ミドルウェアまたはマイクロコード、プログラムコードまたはコードセグメントの形でインプリメントされるときに、それらは、ストレージコンポーネントなどの機械読取り可能媒体に記憶されることができる。コードセグメントは、プロシージャ、ファンクション、サブプログラム、プログラム、ルーチン、サブルーチン、モジュール、ソフトウェアパッケージ、クラス、あるいは命令、データ構造、またはプログラムステートメントの任意の組合せを表すことができる。コードセグメントは、情報、データ、引き数(argument)、パラメータ、またはメモリ内容を渡し、かつ／または受け取ることにより、別のコードセグメントまたはハードウェア回路に結合されることができる。情報、引き数、パラメータ、データなどは、メモリ共有、メッセージパッシング、トークンパッシング、ネットワーク伝送などを含めて適切な任意の手段を使用して渡され、転送され、あるいは伝送されることができる。
【０１２５】
ソフトウェアインプリメンテーションでは、ここにおいて説明される技法は、ここで説明される機能を実行するモジュール（例えば、プロシージャ、ファンクションなど）を用いてインプリメントされることができる。ソフトウェアコードは、メモリユニットに記憶され、そしてプロセッサによって実行されることができる。メモリユニットは、プロセッサの内部に、あるいはプロセッサの外部でインプリメントされることができ、この場合には、メモリユニットは、当技術分野において知られているような様々な手段を経由してプロセッサに通信的に結合されることができる。
【０１２６】
図１０を参照すると、送信共分散推定値（単数または複数）を利用することにより線形プリコーディングについてフィードバックを提供するシステム１０００が示されている。例えば、システム１０００は、モバイルデバイス内に少なくとも部分的に存在することができる。システム１０００は、機能ブロックを含むものとして表され、これらの機能ブロックは、プロセッサ、ソフトウェア、またはそれらの組合せ（例えば、ファームウェア）によってインプリメントされる機能を表す機能ブロックとすることができることが認識されるべきである。システム１０００は、一緒に動作することができる電気コンポーネントの論理的グループ分け(logical grouping)１００２を含んでいる。例えば、論理的グループ分け１００２は、順方向リンクチャネルからの送信共分散を推定するための電気コンポーネント１００４を含むことができる。例えば、実質的に類似している送信共分散は、逆方向リンクチャネルから推定される送信共分散と比較すると順方向リンクチャネルから推定されることができる。さらに、順方向リンクチャネルと逆方向リンクチャネルは、ＭＩＭＯ環境に関連づけられることができる。さらに論理的グループ分け１００２は、共分散に基づいてあらかじめ定義されたコードブックを変更するための電気コンポーネント１００６を備えることができる。例えば、あらかじめ定義されたコードブックに含まれる行列は、推定された共分散の関数として修正されることができる。さらに、論理的グループ分け１００２は、順方向リンクチャネルの推定値と変更されたコードブックに基づいてフィードバックを生成するための電気コンポーネント１００８を含むことができる。一例によれば、推定されるチャネル行列は、順方向リンクチャネルを解析することから取得されることができ、推定されるチャネル行列は、変更されたコードブックの中の行列と比較される（または量子化される）ことができる。さらに、変更されたコードブックからの選択される行列に関連するインデックスは、識別され、かつ／または（例えば、基地局に）転送されることができる。さらに、システム１０００は、電気コンポーネント１００４、１００６、および１００８に関連する機能を実行するための命令を保持するメモリ１０１０を含むことができる。メモリ１０１０の外部にあるものとして示されるが、電気コンポーネント１００４、１００６、および１００８のうちの１つまたは複数は、メモリ１０１０内に存在することができることが理解されるべきである。
【０１２７】
図１１を参照すると、送信共分散推定を有する線形プリコーディングを使用することにより、順方向リンク伝送を制御するシステム１１００が示されている。システム１１００は、例えば基地局内に存在することができる。図に示されるように、システム１１００は、プロセッサ、ソフトウェア、またはそれらの組合せ（例えば、ファームウェア）によってインプリメントされる機能を表すことができる機能ブロックを含んでいる。システム１１００は、順方向リンク伝送を制御することを容易にする電気コンポーネントの論理的グループ分け１１０２を含んでいる。論理的グループ分け１１０２は、逆方向リンクチャネルの解析に基づいて送信共分散を識別するための電気コンポーネント１１０４を含むことができる。例えば、逆方向リンクチャネルは、たとえチャネルが（例えば、ＦＤＤシステムについて）相反性を欠いている可能性があるとしても、順方向リンクチャネルに統計的に類似したものとすることができるが、特許請求の範囲の主題は、非相反性チャネルだけには限定されない（例えば、それ故に、システム１１００は、ＴＤＤシステムとすることができる）。さらに、論理的グループ分け１１０２は、共分散の関数としてあらかじめ定義されたコードブックを調整するための電気コンポーネント１１０６を含むこともできる。一例によれば、レシーバとトランスミッタは、実質的に類似した方法であらかじめ定義されたコードブックを調整することができる。さらに、論理的グループ分け１１０２は、調整されたコードブックを利用することによりフィードバックを評価するための電気コンポーネント１１０８を備えることができる。また、論理的グループ分け１１０２は、評価されたフィードバックに基づいて順方向リンク伝送を制御するための電気コンポーネント１１１０を含むこともできる。例えば、ビーム形成は、評価されたフィードバックを活用することにより遂行されることができる。さらに、システム１１００は、電気コンポーネント１１０４、１１０６、１１０８、および１１１０に関連する機能を実行するための命令を保持するメモリ１１１２を含むこともできる。メモリ１１１２の外部にあるものとして示されるが、電気コンポーネント１１０４、１１０６、１１０８、および１１１０は、メモリ１１１２内に存在することもできることが理解されるべきである。
【０１２８】
上記に説明されているものは、１つまたは複数の実施形態の例を含んでいる。前述の実施形態を説明する目的のためにコンポーネントまたは方法の、あらゆる考えられる組合せについて説明することは、もちろん可能ではないが、当業者は、様々な実施形態の多くのさらなる組合せおよび置換が可能であることを認識することができる。したがって、説明される実施形態は、添付の特許請求の範囲の精神および範囲の中に入るすべてのそのような変更、修正および変形を包含するように意図されている。さらに、用語「含む(includes)」が、詳細な説明または特許請求の範囲において使用される範囲において、そのような用語は、用語「備えている(comprising)」が、請求項においてトランジショナルワード(transitional word)として使用されるときに解釈されるように、用語「備えている(comprising)」と同様な方法で包含的であるように意図されている。
【図面の簡単な説明】
【０１２９】
【図１】ここにおいて述べられる様々な態様に従うワイヤレス通信システムの説明図である。
【図２】ワイヤレス通信環境内における使用のための一例の通信装置の説明図である。
【図３】共分散フィードバックの考察に基づいて線形プリコーディングを遂行する一例のワイヤレス通信システムの説明図である。
【図４】共分散に基づいて調整されることができる線形プリコーディングについてのフィードバックを生成することを容易にする一例の方法の説明図である。
【図５】線形プリコーディングに関連してフィードバックを提供するためのチャネルに関連するデータを量子化することを容易にする一例の方法の説明図である。
【図６】送信共分散の尺度を利用する線形プリコーディングに基づいて順方向リンク伝送を制御することを容易にする一例の方法の説明図である。
【図７】ＭＩＭＯシステムにおける線形プリコーディングを用いて送信共分散を推定すること、および／または送信共分散を利用することを容易にする一例のモバイルデバイスの説明図である。
【図８】ＭＩＭＯ環境における送信共分散の考察に基づいて順方向リンク伝送を制御するためにフィードバックを受信すること、および／またはフィードバックを利用することを容易にする一例のシステムの説明図である。
【図９】ここにおいて説明される様々なシステムおよび方法と組み合わせて使用されることができる一例のワイヤレスネットワーク環境の説明図である。
【図１０】送信共分散推定値（単数または複数）を利用することにより線形プリコーディングについてのフィードバックを提供する一例のシステムの説明図である。
【図１１】送信共分散推定を有する線形プリコーディングを使用することにより順方向リンク伝送を制御する一例のシステムの説明図である。
【図１】
2009514383.tif 000069
【図２】
2009514383.tif 000070
【図３】
2009514383.tif 000071
【図４】
2009514383.tif 000072
【図５】
2009514383.tif 000073
【図６】
2009514383.tif 000074
【図７】
2009514383.tif 000075
【図８】
2009514383.tif 000076
【図９】
2009514383.tif 000077
【図１０】
2009514383.tif 000078
【図１１】
2009514383.tif 000079
【国際調査報告】
2009514383.tif 000080
2009514383.tif 000081
2009514383.tif 000082